(57)【要約】【課題】画像群に含まれる複数の画像の総処理時間が基準時間以上である場合にだけ、総処理時間を表示する。【解決手段】  ＰＪＰ画面６０に同時に表示される６コマの画像処理の設定が終了した後、「スタート」キーが押されると、６コマの画像の総処理時間が算出される。そして、６コマの画像の総処理時間が基準時間以上である場合には、６コマの画像の総処理時間が含まれる時間表示ウィンドウ８０が表示される。オペレータは、６コマの画像処理を開始するか、中止するか、画像処理の内容を変更するかを選択することができる。【選択図】図５
2006162656.tif 000002
【特許請求の範囲】
【請求項１】
画像群に含まれる複数の画像のそれぞれに対応した各画像データに対して画像処理を施す画像処理手段と、
前記画像群に含まれる複数の画像に対して前記画像処理手段により施される画像処理に要する総処理時間を算出する算出手段と、
前記算出手段により算出された前記総処理時間と基準時間とを比較し、前記総処理時間が前記基準時間以上であると判断した場合に、前記総処理時間を表示手段に表示させる表示制御手段と、
前記総処理時間が表示された後において、前記画像処理手段における画像処理を開始するか否かを決定する決定手段とを備えていることを特徴とする写真処理装置。
【請求項２】
前記基準時間を変更する基準時間変更手段をさらに備えていることを特徴とする請求項１に記載の写真処理装置。
【請求項３】
前記総処理時間が表示された後であり且つ前記画像処理手段における画像処理が開始される前に、前記画像群に含まれる複数の画像のそれぞれに対応した各画像データに対して前記画像処理手段により施される画像処理の内容を変更する画像処理内容変更手段をさらに備えていることを特徴とする請求項１または２に記載の写真処理装置。
【発明の詳細な説明】
【技術分野】
【０００１】
本発明は、画像処理が施された画像データに基づいて画像を形成する写真処理装置に関するものである。
【背景技術】
【０００２】
近年、いわゆるデジタル露光方式を採用した写真処理装置が広く用いられるようになってきている。かかるデジタル露光方式では、デジタル画像データに基づいて変調された光によって印画紙を露光することによって画像を形成することができる。ここで、デジタル露光方式を採用することにより、色補正や濃度補正、鮮鋭化処理などの各種画像処理を高い自由度で行うことができるようになるとともに迅速な焼き増し処理が可能になり、さらに、色および濃度の再現性や解像度に優れた高画質のプリントを得ることが可能となる。
【０００３】
ここで、画像データに対する画像処理には、画像の輝度の高い部分の光を例えば十字状（四条形）ににじませるクロスフィルタ処理というものがある。このクロスフィルタ処理を画像データに施すことによって、高い芸術性や特殊な視覚効果を得ることができ、撮影画像に臨場感やインパクトを与えることができる。
【０００４】
しかしながら、クロスフィルタ処理のような複雑な画像処理が行われる際には、非常に長い処理時間が必要となる場合がある。従って、このような画像処理が行われる場合には、オペレータは、その画像処理がいつ終了するのか全く分からない状態で、その画像処理が終了するまで待たなければならない。また、画像処理が開始された後で、画像処理が終了するまでの間、写真処理装置から離れる場合でも、画像処理終了時刻が分からないので、再度、写真処理装置に戻ったときに、まだ画像処理が行われている途中であったり、すでに画像処理が終了し長時間が経過している場合がある。従って、写真処理装置での作業効率が著しく低下するという問題が発生する。
【０００５】
これと同様の問題は、複写機での大量の原稿の読み取り及び印刷においても発生すると考えられる。そこで、かかる問題を解消するために、原稿の読み取り及び印刷のモードを設定することによって、印刷終了時間を正確に予測し表示する複写機がある（例えば、特許文献１参照）。従って、オペレータは、表示された印刷終了時間を見て、それまでの時間を自由に使えるので、非効率な待ち時間を無くし作業効率を上げることができる。
【特許文献１】特開２００３−２５９０５７号公報
【発明の開示】
【発明が解決しようとする課題】
【０００６】
しかしながら、かかる複写機では、印刷終了時間がその長短に拘わらず表示されるが、印刷終了時間までに要する時間が比較的短い場合には、オペレータは、印刷終了時間を確認する必要性が低い場合がある。
【０００７】
そこで、本発明の目的は、画像群に含まれる複数の画像の総処理時間が基準時間以上である場合にだけ、総処理時間を表示する写真処理装置を提供することである。
【課題を解決するための手段および発明の効果】
【０００８】
本発明の写真処理装置は、画像群に含まれる複数の画像のそれぞれに対応した各画像データに対して画像処理を施す画像処理手段と、前記画像群に含まれる複数の画像に対して前記画像処理手段により施される画像処理に要する総処理時間を算出する算出手段と、前記算出手段により算出された前記総処理時間と基準時間とを比較し、前記総処理時間が前記基準時間以上であると判断した場合に、前記総処理時間を表示手段に表示させる表示制御手段と、前記総処理時間が表示された後において、前記画像処理手段における画像処理を開始するか否かを決定する決定手段とを備えていることを特徴としている。
【０００９】
ここで、「画像群」とは、画像処理が開始される前において、画像処理手段により実行される画像処理の内容がほぼ同時に設定されると共に、算出手段により画像処理に要する総処理時間がまとめて算出される複数の画像の集まりである。つまり、後述の実施の形態では、プレジャッジ画面に同時に表示される６コマの画像の集まりが画像群に相当する。
【００１０】
この構成によると、画像群に含まれる複数の画像に対する画像処理に要する総処理時間が算出され、その算出された総処理時間が基準時間以上である場合には、その総処理時間が表示される。そのため、複数の画像の総処理時間が基準時間以上である場合には、オペレータは、画像処理を開始する前に、画像群に含まれる複数の画像の全ての画像処理が終了するまでの時間を確認できるので、それらの画像処理がいつ終了するのか全く分からない状態で、それらの画像処理が終了するまで待たなければならない事態を回避することができる。また、オペレータは、それらの画像処理が終了するまでの間、写真処理装置から離れて他の作業を行うことが可能となって、作業効率が向上する。さらに、オペレータは、写真処理装置において画像処理が適正に行われていることが確認できるので、写真処理装置がロック状態になったと誤って判断して、画像処理を途中で中断するのを防止することができる。
【００１１】
本発明の写真処理装置において、前記基準時間を変更する基準時間変更手段をさらに備えていてもよい。
【００１２】
この構成によると、オペレータは、適宜、基準時間を変更することができる。
【００１３】
本発明の写真処理装置において、前記総処理時間が表示された後であり且つ前記画像処理手段における画像処理が開始される前に、前記画像群に含まれる複数の画像のそれぞれに対応した各画像データに対して前記画像処理手段により施される画像処理の内容を変更する画像処理内容変更手段をさらに備えていてもよい。
【００１４】
ここで、「画像処理手段により施される画像処理の内容を変更する」とは、画像処理手段によって実行される画像処理の種類を増減または変更する場合の他、ある画像処理における処理設定や処理度合等を変更する場合が含まれる。
【００１５】
この構成によると、複数の画像の総処理時間が基準時間以上であって且つ非常長い場合には、これらの複数の画像に対する画像処理の内容を変更することが可能である。
【発明を実施するための最良の形態】
【００１６】
以下、本発明の好適な実施の形態について、図面を参照しつつ説明する。図１は、本発明の実施の形態に係る写真処理装置の概略構成を示す図である。
【００１７】
図１に示す写真処理装置１は、レーザビームによるデジタル走査露光方式が採用された写真処理装置であって、スキャナ部２０と、プリンタ部３０と、プロセッサ部４０と、仕上げ処理部５０とを具備している。また、写真処理装置１には、ペーパーマガジン３１、３２が装填されており、それらに収納されている長尺の印画紙２は、図１において１点鎖線で示した経路１８に沿って、後述するカッター３４まで搬送される。そして、カッター３４で幅方向に沿って所定長さに切断された印画紙２は、経路１８に沿って、プリンタ部３０からプロセッサ部４０を経て仕上げ処理部５０へと搬送される。
【００１８】
スキャナ部２０では、主に、フィルムの各コマに記録された画像の読み取り処理、および、読み取られた画像データに対してディジタル変換などの各種画像処理が行われる。プリンタ部３０では、主に、感光媒体である印画紙２に対してディジタル画像データに基づく露光処理が施される。プロセッサ部４０では、露光済みの印画紙２に対して現像、漂白定着、安定化などの処理が施される。仕上げ処理部５０では、プロセッサ部４０から排出された画像が顕在化した印画紙２に対して乾燥処理が施され、さらに乾燥して排出口１９から排出された印画紙２がオーダーごとに仕分けられる。
【００１９】
スキャナ部２０は、フィルムが装着されるフィルム装着ユニット２１と、スキャニング時にフィルムを照射する光源が収納されたスキャナ光源ユニット２２とを具備している。フィルム装着ユニット２１の下方にはフィルム画像を撮像するためのＣＣＤなどの撮像素子（図示せず）が配置されている。撮像素子から出力される画像信号は、Ａ／Ｄコンバータ（図示せず）でデジタル変換された後に、後述する制御ユニット１０に供給される。
【００２０】
プリンタ部３０は、巻回された長尺の印画紙２をそれぞれ収納しており且つ選択的に使用される２つのペーパーマガジン３１、３２と、ペーパーマガジン３１、３２から印画紙２を引き出すアドバンスユニット３３と、ペーパーマガジン３１、３２から引き出された所定幅を有する印画紙２を幅方向に沿ってプリントサイズに応じた所望の長さに切断するカッター３４と、印画紙２の感光乳剤層が形成されていない面（裏面）に所望の文字を印字するための印字ユニット３５と、所望の長さに切断された印画紙２を露光位置の前段にまで２〜３列で並列搬送するチャッカ３６と、印画紙２に露光処理を施すための露光ユニット３と、印画紙２を搬送するための複数のローラ対３７と、ローラ対３７を駆動するためのモータ３８とを有している。なお、複数のローラ対３７は、切断された印画紙２が脱落しないように、印画紙２が切断される可能性のある最も短い長さよりも短い間隔で配置されている。
【００２１】
プロセッサ部４０は、プリンタ部３０から供給された印画紙２に対して現像、漂白定着、安定化の各処理を施すための処理槽４１ａ〜４１ｆと、処理槽４１ａ〜４１ｆに蓄えられた処理液の廃液および補充液のタンク４２ａ〜４２ｄと、印画紙２を搬送するための複数のローラ対４３と、ローラ対４３を駆動するためのモータ（図示せず）とを具備している。
【００２２】
仕上げ処理部５０は、プロセッサ部４０から排出された印画紙２を迅速に乾燥させるためのヒータ５１と、排出口１９から排出された印画紙２を図１の紙面垂直方向に搬送するためのベルトコンベア５２と、印画紙２を搬送するための複数のローラ対５３と、ローラ対５３を駆動するためのモータ（図示せず）とを具備している。なお、複数のローラ対４３、５３も、複数のローラ対３７と同様に、切断された印画紙２が脱落しないように、印画紙２が切断される可能性のある最も短い長さよりも短い間隔で配置されている。
【００２３】
また、図１に示す写真処理装置１は、その各部の動作を制御する制御ユニット１０と、写真処理装置１に対する入力操作を行うためのキーボードやマウスを含む操作部２４（図２参照）と、写真処理装置１に関する様々な情報を表示してオペレータに告知するディスプレイ２５とを具備している。
【００２４】
制御ユニット１０には、写真処理装置１に係る各種動作の制御プログラムやデータなどが格納されたＲＯＭ、写真処理装置１の各部の動作を制御する信号を生成するために各種演算を実行するＣＰＵ、操作部２４から入力された設定やＣＰＵでの演算結果などのデータを一時保管するＲＡＭなどの部材が含まれている。これら各種部材およびソフトウェアによって、画像データ記憶部１１と、画像処理記憶部１２と、総処理時間算出部１３と、基準時間記憶部１４と、比較部１５と、処理内容決定部１６と、画像処理部１７と、制御部１８とが形成されている。また、制御ユニット１０には、図２に示すように、操作部２４と、ディスプレイ２５と、露光ユニット３を駆動するためのドライバ３ａとがそれぞれ接続されている。
【００２５】
画像データ記憶部１１は、写真処理装置１において露光処理が行われる画像に対応した画像データを記憶する。ここで、画像データ記憶部１１は、スキャナ部２０で読み取られた画像データの他、画像データに対して画像処理が施された場合には画像処理後の画像データを記憶する。
【００２６】
画像処理記憶部１２は、各画像毎に、その画像データに対して実行される画像処理の種類及び各画像処理における種々の設定値を記憶する。ここで、画像処理記憶部１２に記憶される内容は、後述するように、オペレータによってプレジャッジ画面（ＰＪＰ画面）に対して設定される内容である。
【００２７】
ここで、ＰＪＰ画面６０の一例を図４を参照して説明する。ＰＪＰ画面６０には、図４に示すように、６コマの画像に対応した６個のシミュレート画像６１が表示されている。そして、各シミュレート画像６１の上側の枠領域６２には、それらに対応したコマ画像を特定するコマ番号を示す数字が表示される。また、各シミュレート画像６１の下側の補正情報枠６３には、イエローを示す「Ｙ」、マゼンタを示す「Ｍ」、シアンを示す「Ｃ」の文字、及び、濃度補正情報を示す「Ｄ」の文字が表示される。そして、補正情報枠６３の右側には、上下に配置され、「＋」または「−」の文字が表示された２つの操作キー６４が設けられている。また、各シミュレート画像６１の下側のプリント枚数枠６５には、プリント枚数を示す数値が表示されている。そして、補正情報枠６３の下側には、その他の種々の画像処理の設定を行うための「その他」キー６６が表示されている。また、ＰＪＰ画面６０の下端部領域には、オーダ番号と画像メディアの種別を示す枠６７と、画像処理の設定が終了した際に押される「スタート」キー６８とが表示されている。
【００２８】
ここで、ＰＪＰ画面６０では、６コマのシミュレート画像６１が表示される場合に、これらのシミュレート画像６１のうちの１つの周囲を取り囲む選択枠６９（図４では破線で図示されている）に目につきやすい色相を与えることによって、そのシミュレート画像６１が選択状態にあることを明示することができる。
【００２９】
総処理時間算出部１３は、ＰＪＰ画面６０に同時に表示される６コマの画像に対して、画像処理記憶部１２に記憶された各画像処理が実行される場合の総処理時間を算出する。
【００３０】
基準時間記憶部１４は、総処理時間算出部１３で算出された６コマの画像の総処理時間をディスプレイ２５に表示するか否かを判断する際に閾値として用いられる基準時間を記憶する。ここで、基準時間記憶部１４に記憶される基準時間は、オペレータによって、操作部２４が操作されることによって入力される。本実施の形態では、基準時間記憶部１４には、基準時間として、７０分が記憶されている。
【００３１】
比較部１５は、総処理時間算出部１３で算出された６コマの画像の総処理時間と、基準時間記憶部１４に記憶された基準時間とを比較する。従って、比較部１５では、総処理時間と基準時間との大小関係を検知することができる。そして、ＰＪＰ画面６０に同時に表示される６コマの画像の総処理時間が基準時間以上である場合には、後述するように、ディスプレイ２５に時間表示ウィンドウ８０（図６参照）が表示される。
【００３２】
処理内容決定部１６は、時間表示ウィンドウ８０が表示された後であり且つ画像処理が開始される前に、画像処理部１７で実行される各画像の処理内容を決定する。具体的には、処理内容決定部１６は、時間表示ウィンドウ８０が表示された後において、６コマの画像の画像処理を開始するか否かを決定する。また、処理内容決定部１６は、時間表示ウィンドウ８０が表示された後であり且つ画像処理部１７における画像処理が開始される前に、６コマの画像に対して施される画像処理の内容を変更する。
【００３３】
なお、本実施の形態では、処理内容決定部１６では、時間表示ウィンドウ８０内の「開始」キー８３、「中止」キー８４及び「変更」キー８５のいずれかが押された場合に、ＰＪＰ画面６０に同時に表示される６コマの画像において、（１）６コマの画像の画像処理を開始する、（２）６コマの画像の画像処理を中止する、（３）６コマの画像の画像処理の内容（補正内容）を変更する、のいずれかの処理内容に決定する。ここで、処理内容決定部１６で決定された処理内容が（３）である場合には、再度、オペレータによって、各画像の画像処理の設定がＰＪＰ画面６０において行われた後で、（１）〜（３）のいずれかの処理内容に改めて決定することになる。
【００３４】
画像処理部１７は、処理内容決定部１６で決定された処理内容が（１）である場合に、画像処理記憶部１２に記憶された画像処理を、６コマの画像の各画像データに対して実行する。
【００３５】
制御部１８は、写真処理装置１の各部の動作を制御可能であるが、ここでは、ＰＪＰ画面６０に同時に表示される６コマの画像の総処理時間の表示及びその後の画像処理の内容の決定に関する内容について、詳細に説明する。制御部１８は、画像データが読み込まれると、各画像データに対する画像処理の設定を行うためのＰＪＰ画面６０をディスプレイ２５に表示させる。従って、オペレータは、ＰＪＰ画面６０に対する操作を行うことによって、各画像の画像処理の設定を行う。
【００３６】
また、制御部１８は、ＰＪＰ画面６０において画像処理の設定が終了し、総処理時間算出部１３での処理時間の算出が終了した後で、比較部１５において、ＰＪＰ画面６０に同時に表示される６コマの画像の総処理時間が基準時間以上であるという比較結果が得られた場合に、６コマの画像の総処理時間を表示する時間表示ウィンドウ８０をディスプレイ２５に表示させる。なお、総処理時間算出部１３での総処理時間の算出が終了した後、比較部１５において、ＰＪＰ画面６０に同時に表示される６コマの画像の総処理時間が基準時間より短いという比較結果が得られた場合には、６コマの画像の総処理時間を表示する時間表示ウィンドウ８０をディスプレイ２５に表示させることなく、６コマの画像の画像データに対する画像処理を開始する。
【００３７】
そして、制御部１８は、時間表示ウィンドウ８０が表示された場合に、時間表示ウィンドウ８０内の「開始」キー８３が押された場合には、ＰＪＰ画面６０に同時に表示される６コマの画像の画像処理を開始する。また、時間表示ウィンドウ８０内の「中止」キー８４が押された場合には、ＰＪＰ画面６０に同時に表示される６コマの画像の画像処理を中止する（開始しない）。また、制御部１８は、時間表示ウィンドウ８０内の「変更」キー８５が押された場合には、ＰＪＰ画面６０に同時に表示される６コマの画像の画像処理の設定を再度行うために、時間表示ウィンドウ８０を消去させ、ＰＪＰ画面６０を表示させる。また、制御部１８は、時間表示ウィンドウ８０内の「詳細表示」キー８６が押された場合には、各画像毎に、全ての画像処理の種類及びそれらに要する処理時間が含まれる詳細表示ウィンドウ９０をディスプレイ２５に表示させる。
【００３８】
なお、本実施の形態では、比較部１５及び制御部１８が、表示制御装置に相当する。
【００３９】
次に、写真処理装置１においてプリント動作が行われる際の動作手順について、図３を参照して説明する。図３は、写真処理装置のプリント動作の動作手順を示すフローチャートである。図４は、プレジャッジ画面が表示された表示画面の一例を示す図である。図５は、クロスフィルタ処理の設定画面を示す図である。図６は、時間表示ウィンドウが表示された表示画面の一例を示す図である。図７は、詳細表示ウィンドウが表示された表示画面の一例を示す図である。
【００４０】
まず、スキャナ部２０によって画像データが読み込まれると、その画像データは画像データ記憶部１１に記憶される（ステップＳ１０１）。すると、各画像データに対する各種の画像処理の設定を行うためのＰＪＰ画面６０がディスプレイ２５に表示される（ステップＳ１０２）。
【００４１】
このように、ＰＪＰ画面６０が表示された状態において、各シミュレート画像６１に対する各画像処理の設定が行われる（ステップＳ１０３）。ここで、例えば、６個のシミュレート画像６１のなかの１つが選択され、色補正が行われる場合には、選択状態のシミュレート画像６１に対応する補正情報枠７２の「Ｙ」の文字が選択される。すると、「Ｙ」の文字を強調する表示または文字を反転させる表示が行われることによって、イエロー成分を補正対象に選択していることをオペレータに認識させる。この状態で、操作キー６４のプラスキーが押された場合には、押された回数だけイエローの成分を段階的に増大させることができ、同様にマイナスキーが押された場合には、押された回数だけイエローの成分を段階的に減少させる処理が行われる。
【００４２】
また、６個のシミュレート画像６１のなかの１つが選択され、クロスフィルタ処理などのその他の画像処理の設定が行われる場合には、選択状態のシミュレート画像６１に対応する「その他」キー６６が押される。すると、種々の画像処理のなかで任意の画像処理を選択するための画像処理選択画面（図示しない）が表示される。従って、オペレータは、画像処理選択画面において、そのシミュレート画像６１に対応した画像データに施す画像処理を選択できる。
【００４３】
ここで、例えば、オペレータによって、画像処理選択画面に表示された画像処理のなかのクロスフィルタ処理が選択された場合を説明する。クロスフィルタ処理が選択された場合には、図５に示すように、クロスフィルタ処理の設定画面７０が表示される。設定画面７０には、ＰＪＰ画面６０において選択状態であったシミュレート画像６１の拡大画像７１と、基本設定タブ７２と、「ＯＫ」ボタン７８とが含まれている。また、基本設定タブ７２には、クロスフィルタの輝線色、輝線数、幅、角度のそれぞれを設定するための領域７３〜７６と、「更新」ボタン７７とが設けられている。従って、オペレータは、設定画面７０の拡大画像７１内におけるクロスの位置を決定し、基本設定タブ７２内の領域７３〜７６に対して各設定を行った後で、「更新」ボタン７７を押すことによって、変更した設定の内容を補正に反映させることができる。そして、オペレータは、拡大画像７１に対するクロスフィルタ処理の設定を終了し、「ＯＫ」ボタン７８を押すと、ＰＪＰ画面６０に切り換わる。その後、オペレータは、他のシミュレート画像６１に対するクロスフィルタ処理の設定を順次行う。なお、オペレータによって、画像処理選択画面に表示された画像処理のなかのクロスフィルタ処理以外の画像処理が選択された場合も同様に、その選択された画像処理ごとの設定画面が表示される。
【００４４】
そして、６コマの各シミュレート画像６１に対するクロスフィルタ処理などの画像処理の設定が全て終了すると、オペレータによって、ＰＪＰ画面６０の「スタート」キー６８が押される（ステップＳ１０４）。すると、総処理時間算出部１３によって、ＰＪＰ画面６０に同時に表示される６コマの画像の総処理時間が算出されるが算出される（ステップＳ１０５）。そして、６コマの画像の総処理時間と基準時間とが比較される（ステップＳ１０６）。
【００４５】
次に、６コマの画像の総処理時間が基準時間以上であるか否かが判断される（ステップＳ１０７）。ここで、６コマの画像の総処理時間が基準時間以上である場合には、図６に示すように、６コマの画像の総処理時間が表示された時間表示ウィンドウ８０が表示される（ステップＳ１０８）。
【００４６】
ここで、時間表示ウィンドウ８０には、総処理時間が基準時間以上であることを示すメッセージを含む第１情報枠８１と、６コマの画像の総処理時間及び各画像毎の処理時間を含む第２情報枠８２とが含まれている。また、時間表示ウィンドウ８０には、画像処理の内容を変更しないで画像処理を開始する際に用いられる「開始」キー８３、画像処理を中止する際に用いられる「中止」キー８４と、画像補正の内容を変更する際に用いられる「変更」キー８５と、各画像に関する各画像処理毎の処理時間を確認する際に用いられる「詳細表示」キー８６とが含まれている。
【００４７】
このとき、時間表示ウィンドウ８０によって、６コマの画像の総処理時間を確認したオペレータによって、各画像の補正内容を変更するか否かが判断される（ステップＳ１０９）。なお、オペレータは、各画像の画像処理の内容を変更するかを判断する際に、各画像に施される各画像処理毎の処理時間を確認することを望む場合がある。この場合に、「詳細表示」キー８６がオペレータによって押されると、図７に示すように、詳細表示ウィンドウ９０が表示される。詳細表示ウィンドウ９０には、各画像毎に、全ての画像処理毎の処理時間が表示される。図７では、各画像毎のクロスフィルタ処理、処理Ａ、処理Ｂの処理時間が表示されている。そして、詳細表示ウィンドウ９０の内容の確認が終了し、「終了」キー９１がオペレータによって押されると、詳細表示ウィンドウ９０が消えて、時間表示ウィンドウ８０が表示された状態に戻る。
【００４８】
一方、各画像の画像処理の内容を変更した後で各画像に対する画像処理を実行すると判断された場合には（Ｓ１０９：ＹＥＳ）、時間表示ウィンドウ８０内の「変更」キー８５がオペレータによって押される。すると、時間表示ウィンドウ８０が消えて、ＰＪＰ画面６０に戻る。そして、ステップＳ１０２に戻って、上述と同様の処理が繰り返される。
【００４９】
ここで、本実施の形態では、図６の時間表示ウィンドウ８０を見ると、コマＮｏ１〜６の６コマの画像の総処理時間は基準時間よりも少しだけ長いだけである。従って、コマＮｏ１〜６の画像の画像処理の内容を変更しないで画像処理を実行することも考えられる。
【００５０】
また、最も処理時間が長いコマＮｏ３の画像の画像処理の内容を変更する場合でも、変更する画像処理の内容によっては、画像処理の内容が変更されるコマＮｏ３の画像の仕上がり状態と、その他の画像処理の内容が変更されないコマＮｏ１、２、４〜６の画像の仕上がり状態とが著しく異なる場合がある。
【００５１】
具体的には、例えばコマＮｏ１〜６の全ての画像に対してクロスフィルタ処理が施される場合を考える。ここで、クロスフィルタ処理に関して、１コマあたり１０個のクロスが設けられていたとする。この場合に、コマＮｏ３の処理時間を短縮するために、コマＮｏ３の画像のクロスフィルタ処理の設定だけを変更して、１コマあたりのクロスの数を５個に変更した場合には、コマＮｏ３の画像の仕上がり状態と、その他のコマＮｏ１、２、４〜６の画像の仕上がり状態とが著しく異なることになる。
【００５２】
従って、このような問題を防ぐためには、処理時間が最も長いコマＮｏ３の画像処理の内容を変更する場合に、処理時間がそれより少しだけ短いコマＮｏ２、４、５の画像処理の内容をあわせて変更したり、コマＮｏ１〜６の全ての画像処理の内容をあわせて変更することが考えられる。このように、複数の画像の画像処理の内容をあわせて変更することによって、これらの画像の仕上がり状態が著しくことなるのを防止することができる。
【００５３】
これに対して、各画像の画像処理の内容を変更しないと判断された場合には（Ｓ１０９：ＮＯ）、６コマの画像の画像処理を開始するか否かが判断される（ステップＳ１１０）。ここで、６コマの画像の画像処理を開始すると判断された場合には（Ｓ１１０：ＹＥＳ）、時間表示ウィンドウ８０内の「開始」キー８３が押される。すると、６コマの画像の総処理時間の長短に拘わらず、６コマの各画像に対してＰＪＰ画面６０の「スタート」キー６８が押された時点における設定に基づく画像処理が行われる（ステップＳ１１１）。
【００５４】
このように、ＰＪＰ画面６０に表示された６コマの画像に対する画像処理が終了すると、次の６コマの画像が表示されたＰＪＰ画面が表示される（ステップＳ１１２）。その後、ステップＳ１０３に戻って、上述と同様の処理が行われる。
【００５５】
一方、６コマの画像の画像処理を中止すると判断された場合には（Ｓ１１０：ＮＯ）、時間表示ウィンドウ８０内の「中止」キー８４が押される。すると、６コマの画像の画像処理が行われることなく、次の６コマの画像が表示されたＰＪＰ画面が表示される（ステップＳ１１２）。その後、ステップＳ１０３に戻って、上述と同様の処理が行われる。
【００５６】
以上説明したように、本実施の形態の写真処理装置１では、ＰＪＰ画面６０に同時に表示される６コマの画像の総処理時間が算出され、その算出された総処理時間が基準時間以上である場合に、６コマの画像の総処理時間が表示される。そのため、総処理時間が基準時間以上である場合には、オペレータは、画像処理を開始する前に、ＰＪＰ画面６０に同時に表示される６コマの画像の全ての画像処理が終了するまでの時間を確認できるので、それらの画像処理がいつ終了するのか全く分からない状態で、それらの画像処理が終了するまで待たなければならない事態を回避することができる。また、オペレータは、それらの画像処理が終了するまでの間、写真処理装置１から離れて他の作業を行うことが可能となって、作業効率が向上する。さらに、オペレータは、写真処理装置１において画像処理が適正に行われていることが確認できるので、写真処理装置１がロック状態になったと誤って判断して、画像処理を途中で中断するのを防止することができる。
【００５７】
また、オペレータは、操作部２４を操作することによって、基準時間記憶部１４に記憶される基準時間を任意に入力することができる。従って、オペレータは、適宜、基準時間を変更することができる。
【００５８】
また、オペレータは、ＰＪＰ画面６０に同時に表示された６コマの画像の総処理時間を時間表示ウィンドウ８０によって確認した後で、適宜、画像処理部１７における画像処理の内容を決定することができる。従って、各画像の総処理時間を確認した上で、「開始」キー８３を押すことによって、総処理時間の長短に拘わらず、画像処理の内容を変更しないで、６コマの画像の画像処理を開始することができる。そのため、総処理時間が基準時間以上であるが、そのまま画像処理の実行が可能な場合に用いられる。また、「中止」キー８４を押すことによって、６コマの画像の画像処理を中止することができる。そのため、総処理時間が基準時間以上である場合に、そのまま画像処理の実行ができない場合に用いられる。
【００５９】
また、各画像の処理時間を確認した上で、必要に応じて、「変更」キー８５を押すことによって、６コマの画像のなかの一部または全ての画像に施される画像処理の内容を変更することもできる。そのため、オペレータは、６コマの画像の総処理時間を確認した上で、画像処理の内容を変更することによって、６コマの画像の総処理時間を短縮することができる。このとき、オペレータは、６コマの画像のなかで処理時間が最も長い画像の画像処理の内容を変更すると共に、総処理時間がそれより短い画像の画像処理の内容をあわせて変更することができる。従って、一部の画像の画像処理の内容を変更することによって、その画像の仕上がり状態が他の画像（画像処理の内容が変更されない画像）の仕上がり状態と著しく異なってしまうのを抑制することができる。
【００６０】
また、時間表示ウィンドウ８０内の「詳細表示」キー８６が押されると、画像処理記憶部１２に記憶された全ての画像処理の処理時間が含まれる詳細表示ウィンドウ９０が表示される。従って、オペレータは、６コマの画像に対応する各画像データに施される画像処理の種類を容易に確認することができる。また、オペレータは、各画像処理毎の処理時間を確認することができるので、画像処理が開始される前に、処理時間を短縮するために画像処理の内容を変更する場合に、変更する画像処理の種類を決定し易くなる。
【００６１】
以上、本発明の好適な一実施の形態について説明したが、本発明は上述の実施の形態に限られるものではなく、特許請求の範囲に記載した限りにおいて様々な設計変更が可能なものである。例えば、上述の実施の形態では、写真処理装置１が、操作部２４及びディスプレイ２５を備えており、ＰＪＰ画面６０に同時に表示される６コマの画像の総処理時間を示す時間表示ウィンドウ８０等がディスプレイ２５に表示されているが、図８に示すように、操作部１２４及びディスプレイ１２５を備えた複数の（図８では３つの）受付機１１０Ａ〜１１０Ｃが写真処理装置１０１に接続されており、時間表示ウィンドウ等が各受付機１１０Ａ〜Ｃのディスプレイ１２５に表示されてもよい。この場合には、各受付機１１０Ａ〜Ｃのディスプレイ１２５に表示されたＰＪＰ画面に対して画像処理の設定が行われた場合に、その画像処理に要する処理時間がその受付機１１０Ａ〜Ｃのディスプレイ１２５に表示される。ここで、３つの受付機１１０Ａ〜１１０Ｃが写真処理装置１０１に接続されている場合には、各受付機１１０Ａ〜Ｃにおいて設定された画像処理は、順次（例えば、設定された順に）、処理される。そのため、例えば、受付機１１０Ａにおいて画像処理の設定が行われたときに、他の受付機１１０Ｂにおいて設定された画像処理が実行されている場合には、受付機１１０Ａにおいて設定された画像処理がすぐに実行できないので、受付機１１０Ｂにおいて設定された画像処理が終了した後で実行される。従って、この場合には、受付機１１０Ａのディスプレイ１２５に表示される総処理時間は、受付機１１０Ａにおいて設定された画像処理に要する総処理時間と、受付機１１０Ｂにおいて設定された画像処理が終了するまでに要する時間との合計である。
【００６２】
また、上述の実施の形態では、ＰＪＰ画面６０に同時に表示される６コマの画像が、画像処理が開始される前において、画像処理部１７により実行される画像処理の内容がほぼ同時に設定されると共に、総処理時間算出部１３により画像処理に要する総処理時間がまとめて算出される画像群を構成しているが、１つの画像群に含まれる画像数は、複数であればよく任意に変更することができる。
【００６３】
また、上述の実施の形態では、比較的長い処理時間を要する画像処理として、クロスフィルタ処理を一例に説明しているが、比較的長い処理時間を要する画像処理には、例えばソフトフィルタ処理や赤目補正処理などがあり、画像処理の内容に拘わらず、本実施の形態と同様の効果を得ることができる。
【００６４】
また、上述の実施の形態では、時間表示ウィンドウ８０内の「詳細表示」キー８６が押されると、画像処理記憶部１２に記憶された全ての画像処理の処理時間が含まれる詳細表示ウィンドウ８０が表示されるが、画像処理記憶部１２に記憶された全ての画像処理のなかの一部の画像処理（本実施の形態では、クロスフィルタ処理）の処理時間だけが含まれる詳細表示ウィンドウが表示されてもよい。この場合には、各画像データに施される画像処理の種類のなかで比較的長い処理時間を要する画像処理の処理時間だけを表示させることができる。従って、表示が見やすくなり、画像処理の処理時間を容易に確認することができる。
【図面の簡単な説明】
【００６５】
【図１】本発明の実施の形態に係る写真処理装置の概略構成を示す図である。
【図２】図１の写真処理装置の制御ユニットの構成を示すブロック図である。
【図３】写真処理装置のプリント動作の動作手順を示すフローチャートである。
【図４】プレジャッジ画面が表示された表示画面の一例を示す図である。
【図５】クロスフィルタ処理の設定画面を示す図である。
【図６】時間表示ウィンドウが表示された表示画面の一例を示す図である。
【図７】詳細表示ウィンドウが表示された表示画面の一例を示す図である。
【図８】複数の受付機が写真処理装置に接続された様子を示す図である。
【符号の説明】
【００６６】
１  写真処理装置
１１  画像データ記憶部
１２  画像処理記憶部
１３  処理時間算出部（算出手段）
１４  基準時間記憶部
１５  比較部（表示制御手段）
１６  処理内容決定部（画像処理内容変更手段）
１７  画像処理部（画像処理手段）
１８  制御部（表示制御手段）
２４  操作部（基準時間変更手段）
【図１】
2006162656.tif 000003
【図２】
2006162656.tif 000004
【図３】
2006162656.tif 000005
【図４】
2006162656.tif 000006
【図５】
2006162656.tif 000007
【図６】
2006162656.tif 000008
【図７】
2006162656.tif 000009
【図８】
2006162656.tif 000010